(57)【要約】  ＬＥＤの冷却に供される冷却液の利用効率を向上させることができる照明装置を提供すること。  複数個のＬＥＤ１３と、該複数個のＬＥＤ１３が縦横に配置される収容面１４ｂを有するシャーシ１４と、該シャーシ１４においてＬＥＤ１３の配置に対応付けた位置にそれぞれ配置され、内部に冷却液の流れる流路２０ａと該流路２０ａを開閉するための開閉弁２１を有する複数の冷却体２０と、冷却液と空気との間で熱交換を行うラジエータ２２と、冷却体２０とラジエータ２２に配管２５，２６を介して接続され、冷却液を循環させるポンプ２４と、ＬＥＤ１３の駆動を制御するＬＥＤ制御部４３と、ＬＥＤ１３の駆動に基づき該ＬＥＤ１３に対応付けられた冷却体２０の開閉弁２１の駆動を制御する冷却体制御部４４とを備える。
2011089778.tif 000002
【特許請求の範囲】
【請求項１】
複数個のＬＥＤと、該複数個のＬＥＤが縦横に配置される収容面を有するシャーシと、該シャーシにおいて前記ＬＥＤの配置に対応付けた位置にそれぞれ配置され、内部に冷却液の流れる流路と該流路を開閉するための開閉弁を有する複数の冷却体と、前記冷却液と空気との間で熱交換を行うラジエータと、前記冷却体と前記ラジエータに配管接続され、前記冷却液を循環させるポンプと、前記ＬＥＤの駆動を制御するＬＥＤ制御部と、前記ＬＥＤの駆動に基づき該ＬＥＤに対応付けられた前記冷却体の開閉弁の駆動を制御する冷却体制御部とを備えることを特徴とする照明装置。
【請求項２】
前記各冷却体のそれぞれに対して、前記ＬＥＤが複数個ずつ対応付けられていることを特徴とする請求項１に記載の照明装置。
【請求項３】
前記冷却体は、隣り合うＬＥＤ間の略中央位置に配置されていることを特徴とする請求項１または２に記載の照明装置。
【請求項４】
前記冷却体の開閉弁は、流量調整弁であり、対応付けられた前記ＬＥＤの駆動に応じて該冷却体に流れる冷却液の流量を増減するように前記冷却体制御部によって制御されることを特徴とする請求項１から３のいずれか一項に記載の照明装置。
【請求項５】
前記冷却体は、前記シャーシの収容面とは反対側の背面に配置されていることを特徴とする請求項１から４のいずれか一項に記載の照明装置。
【請求項６】
前記冷却体は、前記シャーシの背面に熱伝導シートを介在させて配置されていることを特徴とする請求項５に記載の照明装置。
【請求項７】
画像の表示を行う領域を有する表示パネルと、該表示パネルの背面側に配置される請求項１から６のいずれか一項に記載の照明装置とを備えていることを特徴とする表示装置。
【請求項８】
前記画像に係る信号を処理する画像信号処理部と、該画像信号処理部からの出力信号に基づき前記表示パネルの駆動を制御する表示パネル制御部とを備え、前記ＬＥＤ制御部および前記冷却体制御部は、前記画像信号処理部からの出力信号に基づき前記ＬＥＤおよび前記冷却体の開閉弁の駆動を制御するようにしたことを特徴とする請求項７に記載の表示装置。
【請求項９】
前記表示パネルは、一対の基板間に液晶を封止してなる液晶表示パネルであることを特徴とする請求項７または８に記載の表示装置。
【請求項１０】
請求項７から９のいずれか一項に記載の表示装置を備えていることを特徴とするテレビ受信装置。
【発明の詳細な説明】
【技術分野】
【０００１】
本発明は、光源としてＬＥＤを備える照明装置、この照明装置が表示パネルの背面に配された表示装置およびこの表示装置を備えるテレビ受信装置に関する。
【背景技術】
【０００２】
平面型の表示装置の例として、たとえば光透過型の液晶表示パネルを備える液晶表示装置などは、一般的に液晶表示パネルの背面側に照明装置が配置される。この照明装置は、光源として冷陰極管などの蛍光ランプを備え、この蛍光ランプから発せられる光の特性を調整して液晶表示パネルの背面に光を照射する装置である。照射された光は、液晶表示パネルを透過することにより、この液晶表示パネルの前面側に画像が可視状態に表示される。【０００３】
このような照明装置に組み込まれる光源としては、上述した蛍光ランプの他に、近年では、蛍光ランプよりも省電力で寿命の長い発光ダイオード（ＬＥＤ）が用いられるようになってきている。【０００４】
通常、ＬＥＤは、高温環境下において長時間使用されると、輝度の低下や寿命が著しく短くなってしまうことから、冷却する必要がある。例えば、下記特許文献１には、ＬＥＤを冷却する構造が開示されている。【０００５】
図１１は特許文献１に記載されるＬＥＤ基板とこれを備えた照明装置を示しており、（ａ）はＬＥＤ基板の断面図、（ｂ）は複数枚のＬＥＤ基板が並列に並べられた照明装置の平面図である。【０００６】
図示されるようにＬＥＤ基板２０１は、長尺形状を有する扁平チューブ２０２の上面に絶縁層２０３を介して複数のＬＥＤ２０４が実装されている。この場合、図１１（ａ）に示されるように、ＬＥＤ基板２０１の基材である扁平チューブ２０２の内部には、冷却液が流れる複数の流路２０２ａが形成されており、この流路２０２ａに冷却液を流すことで、ＬＥＤ２０４の熱を奪ってそのＬＥＤ２０４が冷却されるようになっている。【０００７】
図１１（ｂ）に示されるように、照明装置２００は、このようなＬＥＤ基板２０１を複数枚並列に配置し、これらＬＥＤ基板２０１の両端に各扁平チューブ２０２と連通するヘッダー２０５，２０６を取り付け、複数の扁平チューブ２０２に同時に冷却液が供給可能になっている。【０００８】
この場合、ヘッダー２０５，２０６は、冷却液を冷却する空冷式熱交換器であるラジエータ２０７、冷却液を流すためのピストン往復式のポンプ２０８、冷却液の量を確保するためのタンク２０９に配管２１０を介して連通接続されており、冷却液が、ＬＥＤ基板２０１の扁平チューブ２０２とラジエータ２０７とを循環することによってＬＥＤ２０４の冷却が行われるようになっている。
【先行技術文献】
【特許文献】
【０００９】
【特許文献１】特開２００６−２５３２０５号公報
【発明の概要】
【発明が解決しようとする課題】
【００１０】
しかしながら、上述した照明装置２００では、全てのＬＥＤ２０４の冷却を図る冷却構造であるため、全てのＬＥＤ２０４を点灯しないで一部のＬＥＤ２０４を点灯した場合にも、その点灯されたＬＥＤ２０４のみならず消灯されているＬＥＤ２０４も冷却することになっており、使用する冷却液の劣化が早まって冷却性能の低下、つまりＬＥＤ２０４を十分に冷却できなくなるおそれがあることから、冷却液の利用効率が悪いという問題がある。【００１１】
そこで、本発明が解決しようとする課題は、ＬＥＤの冷却に供される冷却液の利用効率を向上させることができる照明装置、表示装置およびテレビ受信装置を提供することである。
【課題を解決するための手段】
【００１２】
上記課題を解決するため本発明に係る照明装置は、複数個のＬＥＤと、該複数個のＬＥＤが縦横に配置される収容面を有するシャーシと、該シャーシにおいて前記ＬＥＤの配置に対応付けた位置にそれぞれ配置され、内部に冷却液の流れる流路と該流路を開閉するための開閉弁を有する複数の冷却体と、前記冷却液と空気との間で熱交換を行うラジエータと、前記冷却体と前記ラジエータに配管接続され、前記冷却液を循環させるポンプと、前記ＬＥＤの駆動を制御するＬＥＤ制御部と、前記ＬＥＤの駆動に基づき該ＬＥＤに対応付けられた前記冷却体の開閉弁の駆動を制御する冷却体制御部とを備えることを要旨とするものである。【００１３】
このような構成の照明装置によれば、ＬＥＤ制御部によって複数個のＬＥＤの駆動（点灯・消灯）を制御すると共に、冷却体制御部によってＬＥＤの駆動に基づき対応付けられた冷却体の開閉弁の駆動、つまり冷却体に冷却液が流れることによるＬＥＤの冷却動作を制御することができる。したがって、例えば、点灯されたＬＥＤに対応付けられた冷却体の開閉弁を駆動してその冷却体によるＬＥＤの冷却を行わせ、消灯されたＬＥＤに対応付けられた冷却体の開閉弁を駆動せずその冷却体によるＬＥＤの冷却を行わせないという制御が可能となる。【００１４】
つまり、冷却体を選択的に動作させることで、点灯に伴い発熱が生じたＬＥＤを選択的に冷却することが可能となっており、仮に照明装置に備えられる全てのＬＥＤをその消灯・点灯にかかわらず、ＬＥＤ全体を冷却するようにしたものと比べると、冷却が必要なＬＥＤを効率的に冷却することができると共に、冷却液の早期の劣化を防止することができる。これにより冷却液の早期の劣化による冷却性能の低下が防止されると共に、冷却液の利用効率が向上する。【００１５】
この場合、前記各冷却体のそれぞれに対して、前記ＬＥＤが複数個ずつ対応付けられている構成にすれば、冷却体に対応付けられた複数個のＬＥＤのいずれかが点灯していれば、それに連動して冷却体の開閉弁が駆動されるので、点灯したＬＥＤの冷却を図ることができる。また、仮にＬＥＤ毎に冷却体を個別に対応付けて設置した場合に比べると、冷却体の設置数を削減することができる。【００１６】
また、前記冷却体は、隣り合うＬＥＤ間の略中央位置に配置されている構成にすれば、隣り合うＬＥＤをほぼ均等に冷却することができるので、点灯したＬＥＤを冷却体が効率的に冷却することができる。【００１７】
更に、前記冷却体の開閉弁は、流量調整弁であり、対応付けられた前記ＬＥＤの駆動に応じて該冷却体に流れる冷却液の流量を増減するように前記冷却体制御部によって制御される構成にすれば、例えば１つの冷却体に対して複数個のＬＥＤが対応付けられている場合には、点灯したＬＥＤの個数に応じて、冷却体に流れる冷却液の流量を開閉弁（流量調整弁）が調整することで、冷却体の冷却性能（冷却力）を可変させることができる。具体的には、例えば１つの冷却体に対して４個のＬＥＤが対応付けられている場合において、点灯したＬＥＤの個数が１個であるときは、開閉弁はその弁を全開に対して１／４の開度で開くようにしたり、点灯したＬＥＤの個数が３個であるときは、開閉弁はその弁を全開に対して３／４の開度で開くようにしたりすることが可能である。また、ＬＥＤの輝度を通常よりも高くするために、そのＬＥＤに流れる電流を増加させたときには、それに応じて冷却体に流れる冷却液の流量を通常よりも増加させ、その輝度が高くされたことに伴ってより多く発熱したＬＥＤを積極的に冷却することも可能である。【００１８】
このように対応付けられたＬＥＤの点灯する個数やＬＥＤの輝度アップに応じて、冷却体に流れる冷却液の流量を増減することができるので、発熱したＬＥＤを効率良く冷却することが可能である。また、冷却液の温度上昇も抑制することができるので、ラジエータによって冷却液を十分に冷却することが可能である。【００１９】
また、前記冷却体は、前記シャーシの収容面とは反対側の背面に配置されている構成にすれば、シャーシにおける冷却体の近傍部分が冷却されるので、このシャーシにおける冷却体の近傍部分を介してＬＥＤが間接的に冷却される。また、シャーシに対してＬＥＤと冷却体が同じ側に存在しないので、ＬＥＤと冷却体を設置するのが容易である。更に、前記冷却体は、前記シャーシの背面に熱伝導シートを介在させて配置されている構成にすれば、発熱したＬＥＤを冷却体によって効率良く冷却することができる。【００２０】
上記課題を解決するために、本発明に係る表示装置は、画像の表示を行う領域を有する表示パネルと、該表示パネルの背面側に配置される上述した照明装置とを備えていることを要旨とするものである。このような構成の表示装置によれば、照明装置のシャーシの収容面に配置された複数個のＬＥＤが、冷却液が流れる複数の冷却体によって、各ＬＥＤの点灯・消灯に応じて個別に冷却されるようになっているので、冷却液の早期の劣化が防止されその利用効率を向上することが可能である。【００２１】
この場合、このような表示装置において、前記画像に係る信号を処理する画像信号処理部と、該画像信号処理部からの出力信号に基づき前記表示パネルの駆動を制御する表示パネル制御部とを備え、前記ＬＥＤ制御部および前記冷却体制御部は、前記画像信号処理部からの出力信号に基づき前記ＬＥＤおよび前記冷却体の開閉弁の駆動を制御するようにした構成にすると良い。【００２２】
このような構成の表示装置によれば、画像信号処理部からの出力信号に基づいてＬＥＤ制御部によってＬＥＤの駆動を制御することで、例えば図１０に示されるように、表示する画像のうち黒表示領域以外に対応したＬＥＤを点灯する一方で、黒表示領域に対応したＬＥＤを消灯（非点灯）とすることができる。これにより、表示画像のコントラスト特性を向上させることができる。その上で、画像信号処理部からの出力信号に基づいて冷却体制御部により冷却体の動作を制御することで、点灯したＬＥＤに対応付けられた冷却体を動作する一方で、消灯（非点灯）とされたＬＥＤに対応付けられた冷却体を動作させないことで、冷却が必要なＬＥＤについて効率的に冷却することができると共に、冷却液の利用効率も向上させることができる。
【発明の効果】
【００２３】
本発明によれば、点灯に伴い発熱が生じたＬＥＤを、冷却液が流れる冷却体によって選択的に冷却することが可能となっており、仮に照明装置に備えられる全てのＬＥＤをその消灯・点灯にかかわらず、ＬＥＤ全体を冷却するようにしたものと比べると、冷却が必要なＬＥＤを効率的に冷却することができると共に、冷却液の早期の劣化が防止されている。
【図面の簡単な説明】
【００２４】
【図１】本発明の一実施形態に係るテレビ受信装置の概略構成を示した分解斜視図である。
【図２】図１のテレビ受信装置が備える液晶表示装置の概略構成を示した分解斜視図である。
【図３】図２の液晶表示装置を組み立てた後の要部を拡大して示した断面図である。
【図４】図３の照明装置が備えるシャーシにおけるＬＥＤおよび冷却体の配置構成を示した平面図である。
【図５】図４の照明装置を背面側から見た平面図である。
【図６】図５の冷却体の概略構成を示した断面図である。
【図７】図５を拡大して示した平面図である。
【図８】テレビ受信装置における電気回路の構成を概略的に示したブロック図である。
【図９】ＬＥＤおよび冷却体の駆動に関する電気回路の構成を概略的に示したブロック図である。
【図１０】液晶表示パネルの駆動の態様とそれに応じた照明装置の駆動の態様を模式的に示した斜視図である。
【図１１】（ａ）は従来技術に係る冷却構造を有したＬＥＤ基板の概略構成を示した断面図、（ｂ）は（ａ）のＬＥＤ基板を複数枚備えた照明装置の概略構成を示した平面図である。
【発明を実施するための形態】
【００２５】
以下に、本発明に係る照明装置、表示装置およびテレビ受信装置の実施の形態ついて、図面を参照して詳細に説明する。
【００２６】
図１は、本実施形態に係るテレビ受信装置を模式的に示した分解斜視図である。図示されるように、テレビ受信装置１００は、液晶表示装置１、チューナー１０１、スピーカー１０２と、これら液晶表示装置１、チューナー１０１、スピーカー１０２に対して電源を供給する電源基板１０３とを備える。これら液晶表示装置１、チューナー１０１、スピーカー１０２、電源基板１０３は、表側キャビネット１０４と裏側キャビネット１０５により構成される筐体に収納され、さらにスタンド１０６により支持される。
【００２７】
図２は本実施形態に係る液晶表示装置１を模式的に示した分解斜視図、図３は、液晶表示装置１の要部を拡大して示した断面図である。図２および図３に示されるように、液晶表示装置１は、ベゼル２、液晶表示パネル３、および照明装置４を備える。
【００２８】
ベゼル２は、液晶表示パネル３の周縁に被せられる額縁形状を有しており、後述する照明装置が備えるシャーシ１４と共に液晶表示装置１全体の強度を確保するものである。
【００２９】
液晶表示パネル３は、薄膜トランジスタ（ＴＦＴ）アレイ基板とカラーフィルタ（ＣＦ）基板とからなる一対のガラス基板が所定の間隔を置いて平行に対向して貼り合わせられ、両ガラス基板間に液晶が封止された構成をなしている。
【００３０】
ＴＦＴアレイ基板には複数のＴＦＴおよび画素電極がマトリクス状に形成され、ＣＦ基板には複数のカラーフィルタがマトリクス状に形成されると共に、そのほぼ全面に共通電極が形成されており、これら画素電極と共通電極との間に印加する電圧を変化させて液晶を配向制御することで、画像を表示することができるようになっている。
【００３１】
この液晶表示パネル３は、図８に示されるように、液晶表示パネル制御部４２によって駆動制御されるようになっている。この場合、液晶表示パネル制御部４２は、画像信号処理部４１から出力された出力信号に基づいて、液晶表示パネル３に制御信号を出力して、その液晶表示パネル３の駆動を制御する。この液晶表示パネル制御部４２による制御と共に、照明装置４から光が液晶表示パネル３の背面に照射されることで、液晶表示パネル３の画像表示領域に所定の画像が表示されるようになっている。また、画像信号処理部４１は、アンテナ４０を介してチューナー１０１から入力された画像信号に基づいて画像処理を行い、その画像処理された信号を液晶表示パネル制御部４２などに出力する。
【００３２】
照明装置４は、上述した液晶表示パネル３の背面の配置されるいわゆる直下型の照明装置（バックライト装置）である。図２および図３に示されるように照明装置４は、フレーム５、光学シート７〜９、拡散板１０、ＬＥＤ基板１２およびシャーシ１４を備える。フレーム５は、額縁形状を有しており、光学シート７〜９および拡散板１０を、この順番で上から積層させた状態でシャーシ１４の周縁部に固定するためのものである。これら光学シート７〜９、拡散板１０は、ＬＥＤ基板１２が備える複数のＬＥＤ１３から液晶表示パネル３に入射する光の特性（屈折、回折、反射等）を調整する光学部材である。
【００３３】
シャーシ１４は、アルミなどからなる金属製の板材を折り曲げ加工等によって浅底の箱形状に成形されており、光学シート７〜９、拡散板１０およびＬＥＤ基板１２が収容可能になっている。
【００３４】
拡散板１０は、平面視において長方形状を有した板状の樹脂製品であり、ＬＥＤ１３からの光を拡散させることで、輝度分布を面内において均一にすることが可能となっており、その板厚は２〜３ｍｍ程度となっている。
【００３５】
３枚の光学シート７〜９は、平面視において長方形状を有した薄いシート状の樹脂製品である。光学シート７〜９は、上から順に例えば、厚さが０．１〜０．５ｍｍ程度の偏向選択性反射シート７、レンズシート８、拡散シート９が用いられており、拡散板１０の上に積み重ねられて配置される。
【００３６】
拡散シート９は、拡散板１０から出射される光を更に拡散させることで、輝度分布を更に均一にするためのものである。レンズシート８は、拡散シート９から出射される光を集光することで、正面輝度を高めるためのものである。偏向選択性反射シート７は、レンズシート８から出射された光が液晶表示パネル３の下側に貼り付けられた偏向板に吸収されないように選択的に反射させるためのものである。
【００３７】
このように照明装置４は、光学シート７〜９および拡散板１０によって、各ＬＥＤ１３から発せられる点状の光を面状の光に変換、つまりＬＥＤ１３の影（光源イメージ）を消して液晶表示パネル３の背面側に照射できるようになっている。尚、シャーシ４の底板１４ａの背面１４ｃには、ＬＥＤ基板１２に電源を供給するＬＥＤ用電源基板１７と、液晶表示パネル３を駆動するコントロール基板１８が配設されている。また、シャーシ１４の底板１４ａの背面１４ｃには、後述する複数の冷却体２０、ラジエータ２２、タンク２３，ポンプ２４およびこれらを接続する配管２５，２６が配設されている。
【００３８】
この場合、シャーシ１４の底板１４ａの収容面１４ｂには、Ｘ方向に２枚、Ｙ方向に４枚並ぶように合計８枚のＬＥＤ基板１２，１２，１２，・・・が配置されている。このＬＥＤ基板１２は、図３に示されるように、アルミなどの金属製の放熱板１２ａを備えており、この放熱板１２ａの上面には絶縁層１２ｂが形成されている。絶縁層１２ｂの上には、ＬＥＤ基板１２（放熱板１２ａ）の長手方向に沿って直線状に複数個（この実施形態では４個）のＬＥＤ１３，１３，１３，１３が実装されている。したがって、図４に示されるように、４個×８枚＝３２個のＬＥＤ１３が、シャーシ１４の収容面１４ｂにおいて、縦横（Ｘ方向およびＹ方向）にマトリクス状に配置されている。
【００３９】
この場合、長尺形状を有する放熱板１２ａは、ＬＥＤ基板１２の基材としての機能を有すると共に、ＬＥＤ１３の発熱による温度上昇を抑制する機能を有しており、ＬＥＤ１３が発した熱がシャーシ１４の底板１４ａに伝導するように、シャーシ１４の収容面１４ｂに面接触（または密着）するように固定されている。
【００４０】
図３に示されるように、ＬＥＤ１３は、例えば青色光を発生させるＬＥＤチップ１３ａを、黄色蛍光体が混合された透明樹脂で密封したパッケージ構造を有しており、ＬＥＤ１３の上面、つまり発光面１３ｂから白色光を放出することが可能となっている。この場合、ＬＥＤ２１の発光面１３ｂは、ＬＥＤ基板２０の板面（表面）と並行になるように配置されている。
【００４１】
また、ＬＥＤ基板１２の絶縁層１２ｂの上には、実装された各ＬＥＤ１３に電源を供給するための図示しない配線パターンが形成されている。このＬＥＤ基板１２に形成された配線パターンには、図８に示されるようなＬＥＤ制御部４３が接続されている。このＬＥＤ制御部４３は、ＬＥＤ用電源基板１７に設けられており、画像信号処理部４１から入力された信号に基づいて各ＬＥＤ１３の駆動（点灯・消灯）を個別に制御することが可能になっている。従って、ＬＥＤ制御部４３は、液晶表示パネル２に表示される画像の態様に応じて各ＬＥＤ１３の個別の点灯・消灯（非点灯）を制御することが可能になっている。
【００４２】
例えば、図１０に示されるように、液晶表示パネル３に表示される画像３ａに、黒表示（暗表示）領域３ｂと非黒表示（明表示）領域３ｃとが含まれる場合には、非黒表示領域３ｃに対して主に光を照射可能とされる各ＬＥＤ１３を点灯させる一方、黒表示領域３ｂに対して主に光を照射可能とされる各ＬＥＤ１３を消灯（非点灯）させることが可能になっている。これにより、表示される画像３ａの黒表示領域３ｂと非黒表示領域３ｃにおいてその明暗の差を大きくすることができる。つまり、黒表示領域３ｂの黒色をより沈み込ませることで、非黒表示領域３ｃにおける白色等をより際立たせて、画像３ａにおけるコントラスト比を向上させることが可能になっている。
【００４３】
次に、シャーシ１４の底板１４ａの背面１４ｃに配設される冷却体２０について説明する。図３に示されるように、冷却体２０は、シャーシ１４の背面１４ｃに、両面に粘着面を有する熱伝導シート１５を介して貼り付け固定されている。この冷却体２０は、アルミなどの金属製材料から直方体形状に成形されており、その内部には冷却液が流れる複数の流路２０ａが並んで形成されている。
【００４４】
図６に示されるように、冷却体２０の上端には、冷却液が流入する液流入口２０ｂが開口形成されると共に、冷却体２０の下端には、冷却液が流出する液流出口２０ｃが開口形成されており、複数の流路２０ａは、液流入口２０ｂと液流出口２０ｃにそれぞれ集合するように連通されている。
【００４５】
また、冷却体２０は、開閉弁２１を備えており、液流入口２０ｂにその開閉弁２１が接続されている。この開閉弁２１の開動作によって流路２０ａ内の冷却液を流れさせると共に、閉動作によって流路２０ａ内の冷却液の流れを止めることが可能になっている。液流入口２０ｂには、開閉弁２１を介して供給管２５が接続されると共に、液流出口２０ｃには、リターン管２６が接続されている。
【００４６】
図２および図５に示されるように、複数の冷却体２０は、ポンプ２４に接続された供給管２５に並列に配管接続されると共に、ラジエータ２２に接続されたリターン管２６に並列に配管接続されている。また、ラジエータ２２とポンプ２４はタンク２３を介して配管接続されている。ポンプ２４としては、冷却液を流すためのピストン往復式のポンプが適用される。また、タンク２３は、冷却液の量を確保するためのリザーバータンクであり、ラジエータ２２は、図示しない放熱フィンが複数設けられて冷却液と空気との間で熱交換可能な空冷式の熱交換器である。
【００４７】
この場合、開閉弁２１としては、図６に示されるように流量調整弁が用いられており、ステッピングモーターなどからなるモーター２１ａによって内部に設けられたボール弁２１ｂの開度を全開、全開に対して１／２、１／３、１／４、全閉というように変化させることが可能になっている。これにより、冷却体２０の流路２０ａに流れる冷却液の流量の増減（調整）が可能になっており、冷却体２０の冷却性能（冷却力）を可変させることができるようになっている。
【００４８】
開閉弁２１のモーター２１ａには、図８および図９に示されるように、冷却体制御部４４が接続されており、冷却体制御部４４から出力される制御信号によってモーター２１ａは駆動されるようになっている。また、図８に示されるように、ポンプ２４には、冷却体制御部４４が接続されており、冷却体制御部４４から出力される制御信号によってポンプ２４は駆動されるようになっている。尚、ポンプ２４は、図９に示される複数の冷却体制御部４４のうちのいずれかから制御信号が入力されると、冷却液を供給管２５に送り出す動作を開始するようになっている。尚、各冷却体２０に設けられた開閉弁２１の全てが閉じられている場合でも、ポンプ２４による冷却液の送り出しが可能となるように、バイパス管２７を介してポンプ２４とラジエータ２２はバイパス接続されている（図１および図５参照）。
【００４９】
図８および図９に示されるように、冷却体制御部４４は、ＬＥＤ制御部４３と接続されており、ＬＥＤ制御部４３がＬＥＤ１３を駆動（点灯・消灯）するのに連動してモーター２１ａを駆動することが可能になっている。
【００５０】
このような冷却体２０は、図５に示されるように、シャーシ１４の背面１４ｃにおいて、縦横（Ｘ方向およびＹ方向）にマトリクス状に配置されている。また、冷却体２０は、シャーシ１４内のＬＥＤ１３の配置に対応付けられた位置に配置されており、この場合、縦横（Ｘ方向およびＹ方向）において隣り合うＬＥＤ１３，１３のほぼ中間位置になるように配置されている。
【００５１】
より具体的には、図４および図５に示されるように、冷却体２０は、縦方向（Ｙ方向）において隣り合うＬＥＤ１３，１３の間の領域にそれぞれ配置されているのに対し、横方向（Ｘ方向）において隣り合うＬＥＤ１３，１３の間の領域には１つおきに間欠的に配置されている。また、冷却体２０は、縦方向（Ｙ方向）および横方向（Ｘ方向）に２個ずつ並んだ４個のＬＥＤ１３，１３，１３，１３に対応付けて配置されており、その中心が対応付けられた４個のＬＥＤ１３，１３，１３，１３までほぼ等距離となるように配置されている。
【００５２】
次に、ＬＥＤ１３とそのＬＥＤ１３に対応付けられた冷却体２０との具体的な関係について図７および図９を用いて説明する。ここでは、説明の便宜上、図７に示されるように、縦方向（Ｙ方向）に３個、横方向（Ｘ方向）に４個並んだ合計１２個のＬＥＤ１３と、それらＬＥＤ１３に対応付けられた４つの冷却体２０を取り上げて説明する。
【００５３】
１２個のＬＥＤ１３のうち、右端の列をなす３個のＬＥＤ１３が上から順に第１ＬＥＤ１３Ａ，第２ＬＥＤ１３Ｂ，第３ＬＥＤ１３Ｃとされ、その左側の列をなす３個のＬＥＤ１３が上から順に第４ＬＥＤ１３Ｄ，第５ＬＥＤ１３Ｅ，第６ＬＥＤ１３Ｆとされ、その左側の列をなす３個のＬＥＤ１３が上から順に第７ＬＥＤ１３Ｇ，第８ＬＥＤ１３Ｈ，第９ＬＥＤ１３Ｉとされ、その左側の列をなす３個のＬＥＤ１３が上から順に第１０ＬＥＤ１３Ｊ，第１１ＬＥＤ１３Ｋ，第１２ＬＥＤ１３Ｌとされる。尚、以下の説明では各ＬＥＤ１３を区別する場合には、符号に添え字Ａ〜Ｌを付し、区別せずに総称する場合には、符号に添え字を付さないものとする。
【００５４】
これら１２個のＬＥＤ１３は、４つのＬＥＤ群３０（第１ＬＥＤ群３０Ａ〜第４ＬＥＤ群３０Ｄ）を構成している。各ＬＥＤ群３０は、縦方向（Ｙ方向）および横方向（Ｘ方向）において隣り合う４個のＬＥＤ１３から構成されている。
【００５５】
具体的には、図７に示される右上の４個ＬＥＤ１３（第１ＬＥＤ１３Ａ，第２ＬＥＤ１３Ｂ，第４ＬＥＤ１３Ｄ，第５ＬＥＤ１３Ｅ）が第１ＬＥＤ群３０Ａを構成し、同図右下の４個ＬＥＤ１３（第２ＬＥＤ１３Ｂ，第３ＬＥＤ１３Ｃ，第５ＬＥＤ１３Ｅ，第６ＬＥＤ１３Ｆ）が第２ＬＥＤ群３０Ｂを構成し、同図左上の４個ＬＥＤ１３（第７ＬＥＤ１３Ｇ，第８ＬＥＤ１３Ｈ，第１０ＬＥＤ１３Ｊ，第１１ＬＥＤ１３Ｋ）が第３ＬＥＤ群３０Ｃを構成し、同図左下の４個ＬＥＤ１３（第８ＬＥＤ１３Ｈ，第９ＬＥＤ１３Ｉ，第１１ＬＥＤ１３Ｋ，第１２ＬＥＤ１３Ｌ）が第４ＬＥＤ群３０Ｄを構成している。尚、以下の説明では各ＬＥＤ群３０を区別する場合には、符号に添え字Ａ〜Ｄを付し、区別せずに総称する場合には、符号に添え字を付さないものとする。
【００５６】
この場合、第２ＬＥＤ１３Ｂと第５ＬＥＤ１３Ｅは、第１ＬＥＤ群３０Ａと第２ＬＥＤ群３０Ｂとの双方に重複して含まれるのに対し、第１ＬＥＤ１３Ａと第４ＬＥＤ１３Ｄは第１ＬＥＤ群３０Ａにだけ含まれ、第３ＬＥＤ１３Ｃと第６ＬＥＤ１３Ｆは第２ＬＥＤ群３０Ｂにだけ含まれている。同様に、第８ＬＥＤ１３Ｈと第１１ＬＥＤ１３Ｋは、第３ＬＥＤ群３０Ｃと第４ＬＥＤ群３０Ｄとの双方に重複して含まれるのに対し、第７ＬＥＤ１３Ｇと第１０ＬＥＤ１３Ｊは第３ＬＥＤ群３０Ｃにだけ含まれ、第９ＬＥＤ１３Ｉと第１２ＬＥＤ１３Ｌは第４ＬＥＤ群３０Ｄにだけ含まれている。
【００５７】
各ＬＥＤ群３０には、図示されるように、各ＬＥＤ群３０のほぼ中央に位置する冷却体２０がそれぞれ対応付けられている。具体的には、第１ＬＥＤ群３０Ａのほぼ中央に位置するものが第１冷却体２０Ａとされ、第２ＬＥＤ群３０Ｂのほぼ中央に位置するものが第２冷却体２０Ｂとされ、第３ＬＥＤ群３０Ｃのほぼ中央に位置するものが第３冷却体２０Ｃとされ、第４ＬＥＤ群３０Ｄのほぼ中央に位置するものが第４冷却体２０Ｄとされている。尚、以下の説明では各冷却体２０を区別する場合には、符号に添え字Ａ〜Ｄを付し、区別せずに総称する場合には、符号に添え字を付さないものとする。
【００５８】
図９に示されるように、第１ＬＥＤ群３０Ａを構成するＬＥＤ１３（第１ＬＥＤ１３Ａ，第２ＬＥＤ１３Ｂ，第４ＬＥＤ１３Ｄ，第５ＬＥＤ１３Ｅ）のそれぞれに接続される４本の電源線３２は、第１冷却体２０Ａの開閉弁２１ａを駆動する冷却体制御部４４に、ダイオードＤおよび抵抗Ｒを介して並列接続されている。したがって、第１ＬＥＤ群３０Ａを構成するＬＥＤ１３のいずれか１個が駆動することで、それに連動して第１冷却体２０Ａの開閉弁２１ａが冷却体制御部４４よって駆動されて、第１冷却体２０Ａによる冷却が行われるようになっている。
【００５９】
また、第２ＬＥＤ群３０Ｂを構成するＬＥＤ１３（第２ＬＥＤ１３Ｂ，第３ＬＥＤ１３Ｃ，第５ＬＥＤ１３Ｅ，第６ＬＥＤ１３Ｆ）のそれぞれに接続される４本の電源線３２は、第２冷却体２０Ａの開閉弁２１ａを駆動する冷却体制御部４４に、ダイオードＤおよび抵抗Ｒを介して並列接続されている。したがって、第２ＬＥＤ群３０のいずれか１個が駆動することで、それに連動して第２冷却体２０Ｂの開閉弁２１ａが冷却体制御部４４によって駆動されて、第２冷却体２０Ｂによる冷却が行われるようになっている。
【００６０】
同様に、第３ＬＥＤ群３０Ｃおよび第４ＬＥＤ群３０Ｄについても、それらＬＥＤ群３０を構成するＬＥＤ１３のいずれか１個が駆動することで、それに連動して第３冷却体２０Ｃおよび第４冷却体２０Ｄによる冷却が行われるようになっている。
【００６１】
この場合、第２ＬＥＤ１３Ｂと第５ＬＥＤ１３Ｅは、第１ＬＥＤ群３０Ａと第２ＬＥＤ群３０Ｂとの双方に重複して含まれているので、第２ＬＥＤ１３Ｂと第５ＬＥＤ１３Ｅのいずれか一方が駆動すると、それに連動して第１冷却体２０Ａと第２冷却体２０Ｂの双方の開閉弁２１ａ，２１ａが冷却体制御部４４，４４によって駆動されて、第１冷却体２０Ａと第２冷却体２０Ｂによる冷却が行われるようになっている。同様に、第８ＬＥＤ１３Ｈと第１１ＬＥＤ１３Ｋは、第３ＬＥＤ群３０Ｃと第４ＬＥＤ群３０Ｄとの双方に重複して含まれているので、第８ＬＥＤ１３Ｈと第１１ＬＥＤ１３Ｋのいずれか一方が駆動すると、それに連動して第３冷却体２０Ｃと第４冷却体２０Ｄの双方の開閉弁２１ａ，２１ａが冷却体制御部４４，４４によって駆動されて、第３冷却体２０Ｃと第４冷却体２０Ｄによる冷却が行われるようになっている。
【００６２】
この場合、開閉弁２１ａとしては、流量調整弁が用いられているので、１つの冷却体２０に対して複数個のＬＥＤ１３が対応付けられている場合には、点灯したＬＥＤ１３の個数に応じて、冷却体２０に流れる冷却液の流量を開閉弁（流量調整弁）２１ａが調整することで、冷却体２０の冷却性能（冷却力）を可変させることができるようになっている。
【００６３】
例えば、第１ＬＥＤ群３０Ａを構成するＬＥＤ１３（第１ＬＥＤ１３Ａ，第２ＬＥＤ１３Ｂ，第４ＬＥＤ１３Ｄ，第５ＬＥＤ１３Ｅ）のうちのいずれか１個のＬＥＤ１３が駆動される場合には、この第１ＬＥＤ群３０Ａに対応付けられた第１冷却体２０Ａの開閉弁（流量調整弁）２１ａを全開に対して１／４の開度で開くように、冷却体制御部４４はその開閉弁２１ａを駆動することが可能である。
【００６４】
また、第１ＬＥＤ群３０Ａを構成するＬＥＤ１３（第１ＬＥＤ１３Ａ，第２ＬＥＤ１３Ｂ，第４ＬＥＤ１３Ｄ，第５ＬＥＤ１３Ｅ）のうちのいずれか２個のＬＥＤ１３が駆動される場合には、この第１ＬＥＤ群３０Ａに対応付けられた第１冷却体２０Ａの開閉弁（流量調整弁）２１ａを全開に対して１／２の開度で開くように、冷却体制御部４４はその開閉弁２１ａを駆動することが可能である。
【００６５】
更に、第１ＬＥＤ群３０Ａを構成するＬＥＤ１３（第１ＬＥＤ１３Ａ，第２ＬＥＤ１３Ｂ，第４ＬＥＤ１３Ｄ，第５ＬＥＤ１３Ｅ）のうちのいずれか３個のＬＥＤ１３が駆動される場合には、この第１ＬＥＤ群３０Ａに対応付けられた第１冷却体２０Ａの開閉弁（流量調整弁）２１ａを全開に対して３／４の開度で開くように、冷却体制御部４４はその開閉弁２１ａを駆動することが可能である。
【００６６】
同様に、第１ＬＥＤ群３０Ａを構成するＬＥＤ１３（第１ＬＥＤ１３Ａ，第２ＬＥＤ１３Ｂ，第４ＬＥＤ１３Ｄ，第５ＬＥＤ１３Ｅ）の全てのＬＥＤ１３が駆動される場合には、この第１ＬＥＤ群３０Ａに対応付けられた第１冷却体２０Ａの開閉弁（流量調整弁）２１ａを全開で開くように、冷却体制御部４４はその開閉弁２１ａを駆動することが可能である。
【００６７】
そして、第１ＬＥＤ群３０Ａを構成するＬＥＤ１３（第１ＬＥＤ１３Ａ，第２ＬＥＤ１３Ｂ，第４ＬＥＤ１３Ｄ，第５ＬＥＤ１３Ｅ）の全てのＬＥＤ１３が駆動されない場合には、この第１ＬＥＤ群３０Ａに対応付けられた第１冷却体２０Ａの開閉弁（流量調整弁）２１ａを全閉するように、冷却体制御部４４はその開閉弁２１ａを駆動することが可能である。
【００６８】
また、ＬＥＤ１３の輝度を通常よりも高くするために、そのＬＥＤ１３に流れる電流を増加させたときには、それに応じてそのＬＥＤ１３に対応付けられた冷却体２０に流れる冷却液の流量を通常よりも増加させ、その輝度が高くされたことに伴ってより多く発熱したＬＥＤ１３を積極的に冷却することも可能である。
【００６９】
このように対応付けられた複数のＬＥＤ１３のうちの点灯するＬＥＤ１３の個数やＬＥＤ１３の輝度アップに応じて、冷却体２０に流れる冷却液の流量を増減することができるので、発熱したＬＥＤ１３を効率良く冷却するこが可能である。また、冷却液の温度上昇も抑制することができるので、ラジエータ２２によって冷却液を十分に冷却することが可能である。
【００７０】
尚、図７および図９では、１２個のＬＥＤと、それに対応付けた４つの冷却体２０とを取り上げた例について説明したが、液晶表示装置１に設置されるＬＥＤ１３および冷却体２０の設置数およびその配置に応じて回路構成などは適宜変更可能であり、この例には限定されない。
【００７１】
次に、以上説明した本実施形態の作用について説明する。図８に示されるように、アンテナ４０およびチューナー１０１を介してテレビジョン放送信号などの画像信号が画像信号処理部４１に入力されると、画像信号処理部４１で画像処理された信号が液晶表示パネル制御部４２とＬＥＤ制御部４３にそれぞれ出力される。そして、液晶表示パネル制御部４２によって液晶表示パネル３の駆動が制御されると共に、ＬＥＤ制御部４３によってＬＥＤ１３の駆動が制御される。これにより、照明装置４から液晶表示パネル３に光が照射されて、液晶表示パネル３に所定の画像が表示されることになる。
【００７２】
ＬＥＤ制御部４３は、画像信号処理部４１から入力された信号に基づいて各ＬＥＤ１３の駆動（点灯・消灯）を個別に制御する。例えば、図１０に示されるように、液晶表示パネル３に表示される画像３ａに黒表示（暗表示）領域３ｂと非黒表示（明表示）領域３ｃとが含まれる場合には、非黒表示領域３ｃに対して主に光を照射するような配置（具体的には、非黒表示領域３ｃと平面視重畳するような配置）とされた各ＬＥＤ１３を点灯させる一方、黒表示領域３ｂに対して主に光を照射するような配置（具体的には、黒表示領域３ｂと平面視重畳するような配置）とされた各ＬＥＤ１３を消灯（非点灯）させることが可能になっている。
【００７３】
このように、ＬＥＤ制御部４３が、各ＬＥＤ１３の点灯・消灯を、液晶表示パネル３に表示される画像３ａの態様に応じて制御することで、黒表示領域３ｂと非黒表示領域３ｃとで明暗の差を大きくさせることができ、画像３ａにおけるコントラスト比を向上させることができる上に、冷却体制御部４４が、点灯したＬＥＤ１３に対応付けられた冷却体２０を動作する一方で、消灯（非点灯）とされたＬＥＤ１３に対応付けられた冷却体２０を動作させないように制御することで、冷却が必要なＬＥＤ１３について効率的に冷却することができると共に、冷却液の利用効率も向上させることができるようになっている。
【００７４】
以上説明した照明装置４によれば、ＬＥＤ制御部４３によって複数個のＬＥＤ１３の駆動（点灯・消灯）を制御すると共に、冷却体制御部４４によってＬＥＤ１３の駆動に基づき対応付けられた冷却体２０の開閉弁２１ａの駆動、つまり冷却体２０に冷却液が流れることによるＬＥＤ１３の冷却動作を制御することが可能になっている。したがって、例えば、点灯されたＬＥＤ１３に対応付けられた冷却体２０の開閉弁を駆動してその冷却体２０によるＬＥＤ１３の冷却を行わせ、消灯されたＬＥＤ１３に対応付けられた冷却体２０の開閉弁２１ａを駆動せずその冷却体２０によるＬＥＤ１３の冷却を行わせないという制御が可能となる。
【００７５】
つまり、冷却体２０を選択的に動作させることで、点灯に伴い発熱が生じたＬＥＤ１３を選択的に冷却することが可能となっており、仮に照明装置に備えられる全てのＬＥＤ１３をその消灯・点灯にかかわらず、ＬＥＤ１３全体を冷却するようにしたものと比べると、冷却が必要なＬＥＤ１３を効率的に冷却することができると共に、冷却液の早期の劣化を防止することができる。これにより冷却液の早期の劣化による冷却性能の低下が防止されると共に、冷却液の利用効率が向上する。
【００７６】
この場合、各冷却体２０のそれぞれに対して、ＬＥＤ１３が複数個ずつ対応付けられているので、冷却体２０に対応付けられた複数個のＬＥＤ１３のいずれかが点灯していれば、それに連動して冷却体２０の開閉弁２１が駆動されるので、点灯したＬＥＤ１３の冷却を図ることができる。また、仮にＬＥＤ１３毎に冷却体２０を個別に対応付けて設置した場合に比べると、冷却体２０の設置数を削減することができる。
【００７７】
また、冷却体２０は、隣り合うＬＥＤ１３間の略中央位置に配置されているので、隣り合うＬＥＤ１３をほぼ均等に冷却することができ、点灯したＬＥＤ１３を冷却体が効率的に冷却することができる。
【００７８】
更に、冷却体２０の開閉弁２１は、流量調整弁であり、対応付けられたＬＥＤ１３の駆動に応じて該冷却体２０に流れる冷却液の流量を増減するように冷却体制御部４４によって制御されるので、例えば１つの冷却体２０に対して複数個のＬＥＤ１３が対応付けられている場合には、点灯したＬＥＤ１３の個数に応じて、冷却体２０に流れる冷却液の流量を開閉弁（流量調整弁）２１が調整することで、冷却体２０の冷却性能（冷却力）を可変させることができる。具体的には、例えば１つの冷却体２０に対して４個のＬＥＤ１３が対応付けられている場合において、点灯したＬＥＤ１３の個数が１個であるときは、開閉弁２１はその弁２１ｂを全開に対して１／４の開度で開くようにしたり、点灯したＬＥＤ１３の個数が３個であるときは、開閉弁２１はその弁２１ｂを全開に対して３／４の開度で開くようにしたりすることが可能である。また、ＬＥＤ１３の輝度を通常よりも高くするために、そのＬＥＤ１３に流れる電流を増加させたときには、それに応じて冷却体２０に流れる冷却液の流量を通常よりも増加させ、その輝度が高くされたことに伴ってより多く発熱したＬＥＤ１３を積極的に冷却することも可能である。
【００７９】
このように対応付けられたＬＥＤ１３の点灯する個数やＬＥＤ１３の輝度アップに応じて、冷却体２０に流れる冷却液の流量を増減することができるので、発熱したＬＥＤ１３を効率良く冷却するこが可能である。また、冷却液の温度上昇も抑制することができるので、ラジエータ２２によって冷却液を十分に冷却することが可能である。
【００８０】
また、冷却体２０は、シャーシ１４の収容面１４ｂとは反対側の背面１４ｃに配置されているので、シャーシ１４における冷却体２０の近傍部分が冷却されるので、このシャーシ１４における冷却体２０の近傍部分を介してＬＥＤ１３が間接的に冷却される。また、シャーシ１４に対してＬＥＤ１３と冷却体２０が同じ側に存在しないので、ＬＥＤ１３と冷却体２０を設置するのが容易である。更に、冷却体２０は、シャーシ１４の背面１４ｃに熱伝導シート１５を介在させて配置されているので、発熱したＬＥＤ１３を冷却体２０によって効率良く冷却することができる。
【００８１】
また、以上説明した表示装置１によれば、画像の表示を行う領域を有する表示パネル３と、該表示パネル３の背面側に配置される上述した照明装置４とを備えているので、照明装置４のシャーシ１４の収容面１４ｂに配置された複数個のＬＥＤ１３が、冷却液が流れる複数の冷却体２０によって、各ＬＥＤ１３の点灯・消灯に応じて個別に冷却されるようになっているので、冷却液の早期の劣化が防止されその利用効率を向上することが可能である。
【００８２】
この場合、このような表示装置１において、画像に係る信号を処理する画像信号処理部４１と、画像信号処理部４１からの出力信号に基づき表示パネル３の駆動を制御する表示パネル制御部４２とを備え、ＬＥＤ制御部４３および冷却体制御部４４は、画像信号処理部４１からの出力信号に基づきＬＥＤ１３および冷却体２０の開閉弁２１の駆動を制御するようにした構成にするのが好ましい。
【００８３】
このような構成の表示装置１によれば、画像信号処理部４１からの出力信号に基づいてＬＥＤ制御部４３によってＬＥＤ１３の駆動を制御することで、例えば図１０に示されるように、表示パネル３において表示される画像３ａのうち黒表示領域３ｂ以外（非黒表示領域３ｃ）に対応したＬＥＤ１３を点灯する一方で、黒表示領域３ｂに対応したＬＥＤ１３を消灯（非点灯）とすることができる。これにより、画像３ａにおけるコントラスト特性を向上させることができる。その上で、画像信号処理部４１からの出力信号に基づいて冷却体制御部４４によって冷却体２０の動作を制御することで、点灯したＬＥＤ１３に対応付けられた冷却体２０を動作する一方で、消灯（非点灯）とされたＬＥＤ１３に対応付けられた冷却体２０を動作させないことにより、冷却が必要なＬＥＤ１３について効率的に冷却することができると共に、冷却液の利用効率も向上させることができる。
【００８４】
以上、本発明に係る照明装置、表示装置およびテレビ受信装置の実施の形態について説明したが、本発明はこうした実施形態に何ら限定されるものではなく、本発明の要旨を逸脱しない範囲において、種々なる態様で実施できることは勿論である。
【００８５】
例えば、上述した実施の形態では、４個のＬＥＤ１３に対して１つの冷却体２０を対応付けた構成を説明したが、１個のＬＥＤ１３に対して１つの冷却体２０を対応付けた構成や２個のＬＥＤ１３に対して１つの冷却体２０を対応付けた構成、更には５個以上のＬＥＤ１３に対して１つの冷却体２０を対応付けた構成などでも良い。また、シャーシ１４の底板１４ａの収容面１４ａとは反対側の背面１４ｃに冷却体２０を配置した構成について説明したが、シャーシ１４の収容面１４ａに冷却体２０を配置した構成、つまりＬＥＤ基板１２の背面に冷却体２０を貼り付けた構成でも良い。更に、各冷却体２０に冷却液を供給するポンプ２４の個数や各冷却体２０から戻って来た冷却液を冷却するラジエータ２２の個数も上述し実施の形態のように１個ずつとせずに、それぞれ複数個ずつ備える構成でも良い。
【図１】
2011089778.tif 000003
【図２】
2011089778.tif 000004
【図３】
2011089778.tif 000005
【図４】
2011089778.tif 000006
【図５】
2011089778.tif 000007
【図６】
2011089778.tif 000008
【図７】
2011089778.tif 000009
【図８】
2011089778.tif 000010
【図９】
2011089778.tif 000011
【図１０】
2011089778.tif 000012
【図１１】
2011089778.tif 000013
【国際調査報告】
2011089778.tif 000014
2011089778.tif 000015